【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数の宛先デバイスの各々が前記宛先デバイスのうちの他のものの送信の１つまたは複数の信号強度のメトリックを決定することを可能にする第１のメッセージを前記複数の宛先デバイスに送信することと、ここにおいて、前記第１のメッセージは、前記複数の宛先デバイスの各々が、異なるサブチャネル上で測定メッセージを送信すべきであることの指示を備え、ここにおいて、前記第１のメッセージは、前記第１のメッセージ中にそれぞれのサブチャネルへのデバイス識別子の対応付けを含めることによって、特定のサブチャネルへの前記複数の宛先デバイスの各々の割当てを提供する、
前記複数の宛先デバイスの各々から、少なくとも部分的に同時に、前記第１のメッセージにおいて特定される前記異なるサブチャネル上で、信号強度のメトリックが第１の閾値未満である宛先デバイスのリストまたは前記１つまたは複数の信号強度のメトリックを備えるメトリックデータメッセージを受信することと、
前記受信されたメトリックデータメッセージに基づいて、非干渉デバイスのリストを決定することと
を備える、方法。
【請求項２】
ワイヤレス通信のための装置であって、
複数の宛先デバイスの各々が前記宛先デバイスのうちの他のものの送信の１つまたは複数の信号強度のメトリックを決定することを可能にする第１のメッセージを前記複数の宛先デバイスに送信するための手段と、ここにおいて、前記第１のメッセージは、前記複数の宛先デバイスの各々が、異なるサブチャネル上で測定メッセージを送信すべきであることの指示を備え、ここにおいて、前記第１のメッセージは、前記第１のメッセージ中にそれぞれのサブチャネルへのデバイス識別子の対応付けを含めることによって、特定のサブチャネルへの前記複数の宛先デバイスの各々の割当てを提供する、
前記複数の宛先デバイスの各々から、少なくとも部分的に同時に、前記第１のメッセージにおいて特定される前記異なるサブチャネル上で、信号強度のメトリックが第１の閾値未満である宛先デバイスのリストまたは前記１つまたは複数の信号強度のメトリックを備えるメトリックデータメッセージを受信するための手段と、
前記受信されたメトリックデータメッセージに基づいて、非干渉デバイスのリストを決定するための手段と
を備える、装置。
【請求項３】
前記非干渉デバイスのリストを決定するための前記手段は、
前記データメトリックメッセージにおいて受信される前記１つまたは複数の信号強度のメトリックに基づいて、信号強度が第２の閾値以下である、複数のデバイスのうちの１つまたは複数を特定することと、
前記非干渉デバイスとして、前記複数のデバイスのうちの前記特定された１つまたは複数を選択することと
によって、前記非干渉デバイスのリストを決定するように構成される、
請求項２に記載の装置。
【請求項４】
前記第２のメッセージの前記少なくとも一部分が前記第２のメッセージのプリアンブルを備え、
前記装置は、
前記第２のメッセージの前記プリアンブルに少なくとも一部基づいて第２のメッセージの持続時間を決定するための手段をさらに備え、ここにおいて、前記第１のメッセージを生成するための前記手段は、前記第２のメッセージの前記決定された持続時間に基づいて前記第１のメッセージの長さをパッドすることを備え、
前記第１のメッセージの前記送信の完了時間と前記第２のメッセージの前記受信の完了時間との差が閾値以下であるように、前記第１のメッセージの第２の長さを決定するための手段をさらに備え、ここにおいて、前記第１のメッセージを生成するための前記手段はさらに、前記決定された第２の長さに基づいて前記第１のメッセージの前記第１の長さをパッドする、
請求項２に記載の装置。
【請求項５】
前記第１のメッセージの第１の持続時間を決定するための手段と、
第２のメッセージの第２の持続時間を決定するための手段と
をさらに備え、ここにおいて、送信するための前記手段は、前記第１の持続時間および前記第２の持続時間に少なくとも一部基づいて、前記第２のメッセージの肯定応答を送信するように構成され、および／または
スケジューリングメッセージを生成するための手段
をさらに備え、前記スケジューリングメッセージは、ソースデバイスが前記スケジューリングメッセージによって特定される第１の送信機会の間に前記第２のメッセージを送信するための許可を与えられることを示し、ここにおいて、送信するための前記手段は、前記スケジューリングメッセージにおいて示される前記ソースデバイスに前記スケジューリングメッセージを送信するように構成される、
請求項２に記載の装置。
【請求項６】
生成するための前記手段は、前記第１のメッセージの持続時間を示すために前記スケジューリングメッセージを生成するようにさらに構成され、および／または、受信するための前記手段は、ソースデバイスから応答メッセージを受信するように構成され、
前記装置は、前記ソースデバイスが前記スケジューリングメッセージにおいて特定される前記第１の送信機会の間に前記第２のメッセージを送信するかどうかを決定するために前記応答メッセージを復号するように構成された復号するための手段をさらに備え、ここにおいて、復号するための前記手段は、前記第２のメッセージの持続時間を決定するために前記応答メッセージを復号するようにさらに構成され、ここにおいて、生成するための前記手段は、前記第１のメッセージの送信が前記第２のメッセージの受信と同じ時間に完了するように、前記第２のメッセージの前記持続時間に基づいて前記第１のメッセージをパッドする、
請求項５に記載の装置。
【請求項７】
復号するための前記手段は、前記第２のメッセージの持続時間を決定するために前記応答メッセージを復号するようにさらに構成され、送信するための前記手段は、前記第２のメッセージの前記持続時間に基づいて前記第１のメッセージを送信する、請求項６に記載の装置。
【請求項８】
生成するための前記手段は、制御メッセージを生成するようにさらに構成され、送信するための前記手段は、前記ソースデバイスが前記第１の送信機会の間に前記第２のメッセージを送信するという前記決定に少なくとも一部基づいて前記制御メッセージを送信するようにさらに構成され、前記制御メッセージは、前記第１の送信機会の新しい持続時間と、前記ソースデバイスおよび前記宛先デバイスの各々の送信レートとを備え、前記新しい持続時間は、前記第１のメッセージの持続時間および前記第２のメッセージの前記持続時間に少なくとも一部基づき、生成するための前記手段は、前記ソースデバイスからの前記第２のメッセージの前記持続時間に少なくとも一部基づいて前記第１のメッセージをパッドするようにさらに構成される、請求項５に記載の装置。
【請求項９】
肯定応答タイミングメッセージを生成するように構成された生成するための手段をさらに備え、前記肯定応答タイミングメッセージは、前記第１のメッセージと関連付けられる肯定応答を送るための時間期間を示し、および／または、ここにおいて、受信するための前記手段は、スケジューリングメッセージを受信するように構成され、前記装置は、前記装置が前記スケジューリングメッセージによって特定される送信機会の間に前記第１のメッセージを送信するための許可を与えられると決定するために、前記スケジューリングメッセージを復号するように構成された復号するための手段をさらに備える、請求項２に記載の装置。
【請求項１０】
復号するための前記手段は、前記第１のメッセージを前記宛先デバイスに送信するための前記送信機会の持続時間を決定するために前記スケジューリングメッセージを復号するようにさらに構成され、生成するための前記手段は、前記送信機会の前記決定された持続時間に少なくとも一部基づいて前記第１のメッセージをパッドするように構成され、および／または、受信するための前記手段は、制御メッセージを受信するようにさらに構成され、前記装置は、前記制御メッセージによって示される送信レートを決定するための手段と、前記スケジューリングメッセージによって特定される前記送信機会の前記持続時間を、前記制御メッセージにおいて示される新しい持続時間によって更新するための手段とをさらに備える、請求項９に記載の装置。
【請求項１１】
生成するための前記手段は、送信するための前記手段が前記送信機会の間の前記宛先デバイスへの送信のために前記第１のメッセージを送信することを示すため、および前記第１のメッセージの持続時間を示すために、応答メッセージを生成するようにさらに構成され、送信するための前記手段は、前記スケジューリングメッセージを送信したデバイスに前記応答メッセージを送信するようにさらに構成される、請求項９に記載の装置。
【請求項１２】
受信するための前記手段は、肯定応答タイミングメッセージを受信するようにさらに構成され、前記装置は、ソースデバイスから受信された第２のメッセージにいつ肯定応答するかを決定するために前記肯定応答タイミングメッセージを復号するための手段をさらに備え、ここにおいて、前記第２のメッセージにいつ肯定応答するかを示す前記肯定応答タイミングメッセージは、前記第１のメッセージをいつ送信するかを示すスケジューリングメッセージを備える、請求項２に記載の装置。
【請求項１３】
生成するための前記手段は、ビーコン、接続要求、接続応答、プローブ要求、またはプローブ応答を含む、通信における全二重能力を示すようにさらに構成され、および／または、送信するための前記手段は、ソースデバイスが全二重通信が可能である場合、前記ソースデバイスから第２のメッセージを受信するための前記手段と同時に、前記第１のメッセージを送信するように構成される、請求項２に記載の装置。
【請求項１４】
装置によって実行されると、前記装置に、請求項１の方法ステップを実行させる命令を備えたコンピュータ可読媒体。
【手続補正２】
【補正対象書類名】明細書
【補正対象項目名】０２５８
【補正方法】変更
【補正の内容】
【０２５８】
[00293]上記の説明は、本開示の態様を対象としたものであるが、本開示の基本的な範囲を逸脱することなく、本開示の他の態様およびさらなる態様も考案されてよく、本開示の範囲は、以下の特許請求の範囲によって決定される。
以下に本願の出願当初の特許請求の範囲に記載された発明を付記する。
［Ｃ１］  ワイヤレス通信のための方法であって、
宛先デバイスへの送信のために第１のメッセージを生成することと、
第２のメッセージの少なくとも一部分を、前記宛先デバイスへの前記第１のメッセージの送信のための出力と少なくとも部分的に同時にソースデバイスから受信することとを備える、方法。
［Ｃ２］  ワイヤレス通信のための装置であって、
宛先デバイスへの送信のために第１のメッセージを生成するための手段と、
第２のメッセージの少なくとも一部分を、前記宛先デバイスへ前記第１のメッセージを送信するのと少なくとも部分的に同時にソースデバイスから受信するための手段と、
前記宛先デバイスに前記第１のメッセージを送信するための手段とを備える、装置。
［Ｃ３］  前記第１のメッセージが送信される前記宛先デバイスを決定するための手段と、
前記宛先デバイスに基づいて複数の信号強度のメトリックを決定するための手段と、
前記装置が前記ソースデバイスによる送信のために前記第２のメッセージをスケジューリングできるように、前記信号強度のメトリックに基づいて、前記第２のメッセージがそこから受信される前記ソースデバイスを決定するための手段とをさらに備える、Ｃ２に記載の装置。
［Ｃ４］  前記ソースデバイスを決定するための前記手段が、
前記複数の信号強度のメトリックに基づいて信号強度が第１の閾値以下である複数のデバイスのうちの１つまたは複数を特定することと、
前記特定されたデバイスから前記ソースデバイスを選択すること
によって、前記信号強度のメトリックに基づいて前記ソースデバイスを決定するように構成される、Ｃ３に記載の装置。
［Ｃ５］  前記第２のメッセージの少なくとも一部分が前記第２のメッセージのプリアンブルを備え、
前記第２のメッセージの前記プリアンブルに基づいて、前記第２のメッセージの少なくとも一部分がそこから送信される前記ソースデバイスを決定するための手段と、
前記ソースデバイスに基づいて複数の信号強度のメトリックを決定するための手段と、
前記信号強度のメトリックに基づいて前記宛先デバイスを決定するための手段とをさらに備える、Ｃ２に記載の装置。
［Ｃ６］  前記第２のメッセージの前記少なくとも一部分が前記第２のメッセージのプリアンブルを備え、前記プリアンブルに少なくとも一部基づいて前記第１のメッセージの前記宛先デバイスを決定するための手段をさらに備える、Ｃ２に記載の装置。
［Ｃ７］  前記第２のメッセージの前記プリアンブルに少なくとも一部基づいて前記第２のメッセージの持続時間を決定するための手段をさらに備え、前記第１のメッセージを生成するための前記手段が前記第２のメッセージの前記決定された持続時間に基づいて前記第１のメッセージの長さをパッドすることを備える、Ｃ６に記載の装置。
［Ｃ８］  前記第１のメッセージの前記送信の完了時間と前記第２のメッセージの前記受信の完了時間との差が閾値以下であるように、前記第１のメッセージの第２の長さを決定するための手段をさらに備え、前記第１のメッセージを生成するための前記手段がさらに、前記決定された第２の長さに基づいて前記第１のメッセージの前記第１の長さをパッドする、Ｃ７に記載の装置。
［Ｃ９］  前記第１のメッセージの第１の持続時間を決定するための手段と、
前記第２のメッセージの第２の持続時間を決定するための手段とをさらに備え、
送信するための前記手段が、前記第１の持続時間および前記第２の持続時間に少なくとも一部基づいて、前記第２のメッセージの肯定応答を送信するように構成される、Ｃ２に記載の装置。
［Ｃ１０］  スケジューリングメッセージを生成するための手段をさらに備え、前記スケジューリングメッセージが、前記ソースデバイスが前記スケジューリングメッセージによって特定される第１の送信機会の間に前記第２のメッセージを送信するための許可を与えられることを示し、送信するための前記手段が、前記スケジューリングメッセージにおいて示される前記ソースデバイスに前記スケジューリングメッセージを送信するように構成される、Ｃ２に記載の装置。
［Ｃ１１］  生成するための前記手段がさらに、前記第１のメッセージの持続時間を示すために前記スケジューリングメッセージを生成するように構成される、Ｃ１０に記載の装置。
［Ｃ１２］  受信するための前記手段が、前記ソースデバイスから応答メッセージを受信するように構成され、
前記ソースデバイスが前記スケジューリングメッセージにおいて特定される前記第１の送信機会の間に前記第２のメッセージを送信するかどうかを決定するために前記応答メッセージを復号するように構成される、復号するための手段をさらに備える、Ｃ１０に記載の装置。
［Ｃ１３］  復号するための前記手段がさらに、前記第２のメッセージの持続時間を決定するために前記応答メッセージを復号するように構成され、生成するための前記手段が、前記第１のメッセージの送信が前記第２のメッセージの受信と同じ時間に完了するように、前記第２のメッセージの前記持続時間に基づいて前記第１のメッセージをパッドする、Ｃ１２に記載の装置。
［Ｃ１４］  復号するための前記手段がさらに、前記第２のメッセージの持続時間を決定するために前記応答メッセージを復号するように構成され、送信するための前記手段が、前記第２のメッセージの前記持続時間に基づいて前記第１のメッセージを送信する、Ｃ１２に記載の装置。
［Ｃ１５］  生成するための前記手段がさらに、制御メッセージを生成するように構成され、送信するための前記手段がさらに、前記ソースデバイスが前記第１の送信機会の間に前記第２のメッセージを送信するという前記決定に少なくとも一部基づいて前記制御メッセージを送信するように構成される、Ｃ１０に記載の装置。
［Ｃ１６］  前記制御メッセージが、前記第１の送信機会の新しい持続時間と、前記ソースデバイスおよび前記宛先デバイスの各々の送信レートとを備え、前記新しい持続時間が、前記第１のメッセージの持続時間および前記第２のメッセージの前記持続時間に少なくとも一部基づく、Ｃ１５に記載の装置。
［Ｃ１７］  生成するための前記手段がさらに、前記ソースデバイスからの前記第２のメッセージの前記持続時間に少なくとも一部基づいて前記第１のメッセージをパッドするように構成される、Ｃ１５に記載の装置。
［Ｃ１８］  肯定応答タイミングメッセージを生成するように構成される、生成するための手段をさらに備え、前記肯定応答タイミングメッセージが、前記第１のメッセージと関連付けられる肯定応答を送るための時間期間を示す、Ｃ２に記載の装置。
［Ｃ１９］  受信するための前記手段がスケジューリングメッセージを受信するように構成され、前記装置が前記スケジューリングメッセージによって特定される送信機会の間に前記第１のメッセージを送信するための許可を与えられると決定するために前記スケジューリングメッセージを復号するように構成される、復号するための手段をさらに備える、Ｃ２に記載の装置。
［Ｃ２０］  復号するための前記手段がさらに、前記第１のメッセージを前記宛先デバイスに送信するための前記送信機会の持続時間を決定するために前記スケジューリングメッセージを復号するように構成される、Ｃ１９に記載の装置。
［Ｃ２１］  生成するための前記手段が、前記送信機会の前記決定された持続時間に少なくとも一部基づいて前記第１のメッセージをパッドするように構成される、Ｃ２０に記載の装置。
［Ｃ２２］  受信するための前記手段がさらに、制御メッセージを受信するように構成され、前記制御メッセージによって示される送信レートを決定するための手段と、前記スケジューリングメッセージによって特定される前記送信機会の前記持続時間を、前記制御メッセージにおいて示される新しい持続時間によって更新するための手段とをさらに備える、Ｃ２０に記載の装置。
［Ｃ２３］  生成するための前記手段がさらに、送信するための前記手段が前記送信機会の間の前記宛先デバイスへの送信のために前記第１のメッセージを送信することを示して前記第１のメッセージの持続時間を示すために、応答メッセージを生成するように構成され、送信するための前記手段がさらに、前記スケジューリングメッセージを送信したデバイスに前記応答メッセージを送信するように構成される、Ｃ１９に記載の装置。
［Ｃ２４］  受信するための前記手段がさらに、肯定応答タイミングメッセージを受信するように構成され、前記ソースデバイスから受信された前記第２のメッセージにいつ肯定応答するかを決定するために前記肯定応答タイミングメッセージを復号するための手段をさらに備える、Ｃ２に記載の装置。
［Ｃ２５］  前記第２のメッセージにいつ肯定応答するかを示す前記肯定応答タイミングメッセージが、前記第１のメッセージをいつ送信するかを示すスケジューリングメッセージを備える、Ｃ２４に記載の装置。
［Ｃ２６］  生成するための前記手段がさらに、ビーコン、接続要求、接続応答、プローブ要求、またはプローブ応答を含む、通信における全二重能力を示すように構成される、Ｃ２に記載の装置。
［Ｃ２７］  送信するための前記手段が、前記ソースデバイスが全二重通信が可能である場合、受信するための前記手段が前記ソースデバイスから前記第２のメッセージを受信することと同時に、前記第１のメッセージを送信するように構成される、Ｃ２に記載の装置。
［Ｃ２８］  実行されると、装置にワイヤレス通信の方法を実行させる命令が符号化された、コンピュータ可読媒体を備えるコンピュータプログラム製品であって、前記方法が、
宛先デバイスへの送信のために第１のメッセージを生成することと、
第２のメッセージの少なくとも一部分を、前記宛先デバイスへの前記第１のメッセージの送信のための出力と少なくとも部分的に同時にソースデバイスから受信することとを備える、コンピュータプログラム製品。
［Ｃ２９］  少なくとも１つのアンテナと、
宛先デバイスへの送信のために第１のメッセージを生成し、
前記少なくとも１つのアンテナを介して、ソースデバイスから第２のメッセージの少なくとも一部分を受信することと少なくとも部分的に同時に前記第１のメッセージを前記宛先デバイスに送信する
ように構成される処理システムとを備える、ワイヤレスノード。